(57)【要約】  【課題】ＩＴ器機等の精密機器部品を輸送するのに好適な収納容器の提供。  【解決手段】内壁に凹部を設け且つ底部に多数の孔を穿設した容器本体と、一辺に多数の小凸部を凸設した仕切板とよりなる容器であって、前記仕切板を容器本体の内壁に設けた凹部にはめると共に、仕切板の凸部を容器本体の底部の孔に嵌合させたことを特徴とする収納容器である。  【選択図】  図１
2005075362.tif 000002
【特許請求の範囲】
【請求項１】
内壁に凹部を設け且つ底部に多数の孔を穿設した容器本体と、一辺に多数の小凸部を凸設した仕切板とよりなる容器であって、前記仕切板を容器本体の内壁に設けた凹部にはめると共に、仕切板の凸部を容器本体の底部の孔に嵌合させたことを特徴とする収納容器。
【請求項２】
容器本体の四隅に孔を設け容器本体の高さを調節するアタッチメントを嵌合出来るようにした請求項１記載の収納容器。
【請求項３】
仕切板により容器本体の収納部を１／２・１／３・１／４・１／６・１／８等に区分できるように容器内壁に凹部を設けた請求項１または２記載の収納容器。
【請求項４】
収納容器底部の孔の位置は容器本体の収納部を１／２・１／３・１／４・１／６・１／８等に区分した仕切板の凸部に嵌合する位置である請求項１〜３の何れかの項に記載の収納容器。
【請求項５】
仕切板の側面にパット若しくはくさびを貼着した請求項１〜４の何れかの項に記載の収納容器。
【発明の詳細な説明】
【技術分野】
【０００１】
本発明は、ＩＴ器機等の精密機器部品を輸送するのに好適な収納容器に関する。
【背景技術】
【０００２】
最近、ＩＴ器機等の精密機械の組立に際しては、それぞれの工場で生産された各部品を組立工場に集めて組み立てているが、これらの各部品の工場間を輸送に使用している容器は、発泡プラスチック製容器の内部に部品の形状に合わせた仕切板を一体的に設けた専用の収納容器を使用している。その容器の一例を図５に示す。図５において、１は収納容器、２は周縁部、３は仕切板である。このような収納容器１の内部は一体的に設けられた仕切板３によって区分された各区分に部品はしっかりと固定収納された状態で輸送されている。しかし、このような収納容器では部品の形状或いは寸法が変更された場合、収納容器１は使用不可能になり破棄処分しなければならず、資源、環境の両面から好ましいものではなかった。
容器内に移動可能な仕切板を設け、種々の形状或いは寸法の異なる収納物を収納した容器は特許文献１或いは特許文献２に示されている。例えば、特許文献１では容器の底部にくぼみを設け、該くぼみに仕切板を嵌合させた収納ケースであり、特許文献２では平行な対向する壁面を有する収納部を内部に設け、さらに前記壁面間に仕切板を立てるための突条を形成した小物収納容器であって、突条の間隔を、突条間に仕切板の側端部を嵌入して立てることができる距離とし、さらに仕切板の側端部に前記突条を嵌入可能な突条嵌入溝を形成したことを特徴とする小物収納容器である。これらの収納容器は、形状或いは寸法の異なる小物を種分けして収納するものであって、この容器に収納して輸送し、また、これを反復使用しようとするものではない。
【特許文献１】特開２００１−２２５８４４号公報
【特許文献２】特開２００１−２８７７４２号公報
【発明の開示】
【発明が解決しようとする課題】
【０００３】
そこで、本発明者は収納物の形状、寸法が異なったものについて、これらを
輸送するのに反復使用可能な容器を提供すべく種々検討した結果、本発明を完成したもので、本発明の目的は寸法または形状の異なる部品を輸送するのに適した収納容器を提供する。
【課題を解決するための手段】
【０００４】
本発明の要旨は内壁に凹部を設け且つ底部に多数の孔を穿設した容器本体と、一辺に多数の小凸部を凸設した仕切板とよりなる容器であって、前記仕切板を容器本体の内壁に設けた凹部にはめると共に、仕切板の凸部を容器本体の底部の孔に嵌合させたことを特徴とする収納容器である。
【発明の効果】
【０００５】
即ち、本発明においては仕切板を容器本体の側壁の凹部に嵌合させると共に、仕切板に設けた凸部を容器本体の底部に設けた孔に嵌合さすことによって仕切板を固定し、それぞれの区分内に各形状及び寸法に合致した部品を収納することによって輸送中に部品が移動して損傷を生じることなく、また、形状及び寸法の異なる部品については仕切板を移動させることによって何れも収納、固定でき、これによって反復輸送に使用することができる。
【発明を実施するための最良の形態】
【０００６】
本発明について詳細に述べる。
本発明に使用する容器本体の材質としては輸送の際の衝撃を吸収し易い木製、紙、プラスチック等何れでもよいが、段ボール紙や発泡プラスチックは緩衝性に優れているので好ましく、また、仕切板の材質は容器本体の材質と同じでも、また異なっていても良いが、これらが特に発泡ポリエチレンで構成されているものは収納容器として好適である。これらの材質で形成されている容器本体の側壁部に凹部を設ける。凹部を設ける方法としては容器本体の側壁部に直接凹部を設けても良いが、側壁部に複数個の凸部を設け凸部間によって凹部を構成するようにしても良い。そして、この凹部に仕切板の側面を嵌入し、容器本体の底部に孔を穿設し、該孔に仕切板に設けた凸部を嵌合させて容器本体の収納部を仕切る。容器の収納部分は仕切板によって１／２，１／３，１／４，１／８等のよう区分出来る様にし、部品の大きさに応じて仕切板の位置を変更する。また、容器本体の四隅には孔を設け、この孔にアタッチメントを差し込んで容器本体の高さを調節するようにする。また、収納される部品が変形部品である場合、仕切板側面に発泡材よりなるパットを貼着するか或いは楔を挿入して隙間無く固定して部品が移動しないようにする。収納品が薄い場合には下敷き部材を用いて容器本体の深さを調節するを設ける。下敷き部材とは仕切材と同様な材質よりなる小片の一方の面に凸部を設け、この凸部を容器本体の底部に設けた孔に嵌入して底上げを行う。容器本体及び仕切板が発泡プラスチックである場合、発泡プラスチックは柔軟性を有するので変形・移動がし易く、特に発泡ポリエチレンは緩衝性が大きいので、ＩＴ機器の部品輸送に好適である。殊に本発明では仕切板の凸部を容器本体の底部に設けた孔に差し込むことによってしっかりと固定することが出来るので、収納部品何らの損傷を受けることなく輸送することが出来る。
【実施例】
【０００７】
次に実施例として図面をもって更に具体的に説明する。図１は本発明にかかる収納容器の容器本体の斜視図である。図１において、容器本体１は底部４と周縁部（側壁部）２より構成されており、側壁部内側には多数の凸部６が設けられており、凸部と凸部との間に凹部（溝部）７が形成されている。そして、容器本体の四隅は凸部と凸部とによって孔５が構成され、この孔に図１（ｂ）で示すようなアタッチメント８を差し込む。容器本体の底部４には多数の孔５が穿設されている。図２は仕切板３の平面図である。仕切板３の底辺には多数の凸部６を設ける。仕切板３に設ける凸部６は容器本体の孔５の位置に合うようにする。図３は他の仕切板３の斜視図であり、この仕切板３の底部には凸部６を凸設し、また、その側面にはパット９が貼着されている。また、図４は凸部６を有する平板１０の斜視図であって、容器本体の収納部の深さを調節する。
このような収納容器の使用方法としては、収納すべき部品の形状及び寸法に応じて仕切板の側縁部を容器本体の内壁部の凹部７に嵌めこむと共に仕切板の凸部６を容器本体底部の孔に嵌合させて固定し、出来た各区分内に部品を収納する。また、部品と仕切板との間に隙間を生じた場合には発泡材からなるパット９を挿入したり或いは図３に示すような予めパット８を貼着してある仕切板３を使用して部品をしっかり固定して輸送中に移動しないようにする。
【産業上の利用可能性】
【０００８】
以上述べたように、従来部品の形状に合わせた専用の収納容器を使用して工場間を輸送していたが、本発明においては、仕切板を移動して、容器本体の収納部の区分を変えることによっていろいろな形状や寸法の異なる部品への対応が可能となり、その結果、収納容器の共通化、長期間の繰り返し使用が可能となり、資源の有用利用、廃棄物の削減、コストダウン等図ることが出来る。
【図面の簡単な説明】
【０００９】
【図１】本発明にかかる収納容器本体の斜視図，（ａ）はアダプター
【図２】本発明にかかる収納容器の各種仕切板の正面図。
【図３】他の仕切板の斜視図。
【図４】底部片の斜視図
【図５】従来の収納容器の斜視図。
【符号の説明】
【００１０】
１    容器本体        ２    側壁部（周縁部）  ３    仕切板
４    容器本体の底部  ５    孔部              ６    凸部
７    仕切板の凹部    ８    アタッチメント    ９    パット
１０    平板部
【図１】
2005075362.tif 000003
【図２】
2005075362.tif 000004
【図３】
2005075362.tif 000005
【図４】
2005075362.tif 000006
【図５】
2005075362.tif 000007